(57)【特許請求の範囲】
【請求項１】
複数のテープ循環機構を組み合わせてテープ回路を構成して成るエンドレステープ用カセットにおいて、
テープ循環機構は、筐体内で回転自在な回転台と、回転台に載置され、テープを巻いて円状に束ねたテープドラムと、テープドラムの外周部でテープの入力又は出力を行う第１のテープ入出力手段と、テープドラムの内周部でテープの出力又は入力を行う第２のテープ入出力手段と、テープの入出力の速さをテープドラムの外周部及び内周部で同じにするテープ送り手段と、第２のテープ入出力手段から入出力されたテープの走行方向を回転台の回転面に交差する方向に転換するテープ走行方向転換手段とを備えることを特徴とするエンドレステープ用カセット。
【請求項２】
上記テープ送り手段が、筐体に設けられ回転台に対向して配置された円形ギヤと、回転台の台面に露出して設けられ、円形ギヤに噛合し、回転台の回転に連動して回転するテーパローラとから成ることを特徴とする請求項１に記載のエンドレステープ用カセット。
【請求項３】
上記テープドラムが、筐体に設けられ回転台に対向して配置されたドラム側面当接部と、回転台の台面との間に狭持されることを特徴とする請求項１に記載のエンドレステープ用カセット。
【請求項４】
上記筐体に設けられ、回転台に対向して配置された規制ガイドが、テープドラムの外周部又は内周部のテープを円状に規制することを特徴とする請求項１に記載のエンドレステープ用カセット。
【発明の詳細な説明】
【０００１】
【発明の属する技術分野】
本発明は、情報記録用のエンドレステープ用カセットに関する。
【０００２】
【従来の技術】
従来、情報処理機器やビデオカメラ、ＶＴＲ、オーディオ機器等において、磁気情報等の記録再生にはカセット式の磁気テープ等が用いられることが多い。磁気テープは、合成樹脂フィルム等から成り、通常、一方の面に磁気記録層が形成される。また、磁気テープは、樹脂製のカセットケースに装備され、情報処理機器等の機器に出し入れ自在に装着される。
【０００３】
例えば、カセットケースには、磁気テープを巻き取るための一対のテープリールが回転自在に備えられ、磁気テープの両端は各テープリールにそれぞれ固定される。つまり、一対のテープリールのどちらか一方を回転させることにより、一方のテープリールから他方のテープリールにテープが巻き取られるようになっている。
【０００４】
また、カセットケースの側面には、磁気テープの一部を露出させるヘッド当接部が設けられ、機器に備わる磁気ヘッドがこのヘッド当接部において磁気テープの一方の面に当接するようになっている。このような構造を有するカセットが、広く普及している。
【０００５】
しかしながら、このような従来の磁気テープ用カセットでは、テープの端部がテープリールに固定されているので、エンドレスなテープ走行を行うことは不可能であるといった問題があった。すなわち、一方のテープリールに巻かれたテープがすべて他方のテープリールに送られてしまうと、テープ走行を続行することはできず、一旦テープ走行を停止し、その後、テープを巻き戻すか、カセットを反転させて装着し直すかする必要があった。
【０００６】
このため、テープ走行は、断続した走行となり、磁気テープに対して磁気情報等の記録再生を連続して行うことができなかった。また、磁気テープの一方の面のみに記録再生が行われるので、一度に記録再生することができる記録再生量にも限度があった。
【０００７】
ところで、エンドレスなテープ走行を行おうとする磁気テープ用カセットとして、例えば、特許文献１や特許文献２に記載のものがある。しかし、これらの文献記載のもののうち、前者のものについては、エンドレスなテープ走行を行うための仕組みにおいて、テープリールに巻かれた磁気テープの内周部及び外周部におけるテープ入出力の速さを同じに保つ機構が備わっておらず、エンドレスなテープ走行を円滑に行えるとは考えにくい。
【０００８】
後者のものについては、円状に巻かれたテープに対してその内周部及び外周部からテープ入出力を行う仕組みのものではなく、磁気テープをテープリールの周面に当接させてテープ送りする構造であるため、テープリールに巻かれるテープ量が少なく、従って、記録再生できる量が少ないと考えられる。また、いずれのものについても、複数のテープに対して同時に記録再生を行ったり、テープの両方の面に対して同時に記録再生を行ったりすることができるものではない。
【０００９】
また、特許文献３には、磁気テープ用カセットの構造についての記載がある。しかし、これは、磁気テープに張力を付与する機構に関するものであり、エンドレスなテープ走行が行えるものではない。
【００１０】
【特許文献１】
特開昭４８−０９０２０２号公報
【特許文献２】
実開平０２−０９２８７６号公報
【特許文献３】
実開昭５５−０２８２３７号公報
【００１１】
【発明が解決しようとする課題】
本発明は、斯かる実情に鑑み、エンドレスなテープ走行を可能とし、テープを巻き戻したり、カセットを反転させたりすることなく連続して記録再生することができるエンドレステープ用カセットを提供しようとするものである。
【００１２】
また、複数のテープに対して同時に記録再生を行ったり、テープの両方の面に対して同時に記録再生を行ったりすることができるエンドレステープ用カセットを提供しようとするものである。
【００１３】
また、内蔵するテープ量を増やしたり、メビウスの帯状態でテープをエンドレス化したりすることができるエンドレステープ用カセットを提供しようとするものである。
【００１４】
【課題を解決するための手段】
請求項１に記載の本発明によるエンドレステープ用カセットは、複数のテープ循環機構を組み合わせてテープ回路を構成して成るエンドレステープ用カセットにおいて、テープ循環機構が、筐体内で回転自在な回転台と、回転台に載置され、テープを巻いて円状に束ねたテープドラムと、テープドラムの外周部でテープの入力又は出力を行う第１のテープ入出力手段と、テープドラムの内周部でテープの出力又は入力を行う第２のテープ入出力手段と、テープの入出力の速さをテープドラムの外周部及び内周部で同じにするテープ送り手段と、第２のテープ入出力手段から入出力されたテープの走行方向を回転台の回転面に交差する方向に転換するテープ走行方向転換手段とを備えて構成される。
【００１５】
このような構成によれば、回転台が回転すると、回転台とともにテープドラムが回転する。このとき、テープ送り手段によってテープドラムの外周部及び内周部におけるテープの入出力の速さが同じになる。このため、テープドラムの外周部における第１のテープ入出力手段から入力又は出力されるテープの速さと、テープドラムの内周部における第２のテープ入出力手段から出力又は入力されるテープの速さとが同じになり、構成されたテープ回路をテープが円滑にエンドレス走行することができる。
【００１６】
請求項２に記載の本発明によるエンドレステープ用カセットは、テープ送り手段が、筐体に設けられ回転台に対向して配置された円形ギヤと、回転台の台面に露出して設けられ、円形ギヤに噛合し、回転台の回転に連動して回転するテーパローラとから構成される。このような構成によれば、回転台の回転に伴ってテーパローラが回転し、テーパローラの回転によってテープドラムのテープがテープ送りされる。これによって、テープドラムの外周部及び内周部におけるテープの入出力の速さを同じにすることができる。
【００１７】
請求項３に記載の本発明によるエンドレステープ用カセットは、テープドラムが、筐体に設けられ回転台に対向して配置されたドラム側面当接部と、回転台の台面との間に狭持されるように構成される。このような構成によれば、ドラム側面当接部がテープドラムの側面に当接し、回転台の台面との間でテープドラムを狭持することによって、回転台の回転に伴うテープドラムの回転や、テープ送りをより確実に行うことができる。
【００１８】
請求項４に記載の本発明によるエンドレステープ用カセットは、筐体に設けられ、回転台に対向して配置された規制ガイドが、テープドラムの外周部又は内周部のテープを円状に規制するように構成される。このような構成によれば、テープドラムの外周部及び内周部におけるテープ走行を円滑に行うことができる。
【００１９】
【発明の実施の形態】
本発明のエンドレステープ用カセットは、従来のカセットがテープの一端をテープリールに固定した形式であったのを、テープリールの代わりに回転台を用い、テープを巻いて円状に束ねたテープドラムを回転台に載置する形式に置き換えたことを特徴の一つとする。回転台を用いることによって、テープドラムの外周部におけるテープの入出力の速さと内周部におけるテープの入出力の速さとを同じにすることが可能となる。その結果として、複数のテープドラム間のテープの連繋が可能となり、複数のテープドラムを連結した循環型のテープ回路を構築することができる。
【００２０】
従って、その循環型のテープ回路であるという特性を活用することにより、テープの両方の面に対する同時記録再生を可能にしたり、複数のテープに対する同時記録再生や、テープのエンドレスな稼動をメビウスの帯状態で行うことが可能となる。また、情報処理機器等に対応するテープ走行経路も必要に応じた設定が可能となる。
【００２１】
実施の形態１．
以下に、基本的なモデルとして、カセットケースが、上段、中段、下段と３つに区分された３段式のカセットについて詳述する。まず、記述の基本となる基準を示す。ターンテーブル（回転台）へのテープセッティングにおいてケース右側上段と下段、及び左側中段に右巻きのテープドラムをセッティングし、ケース左側上段と下段、及び右側中段に左巻きのテープドラムをセッティングする。
【００２２】
これらのテープドラムのうちケース上段、下段の左右が単一テープドラム、ケース中段の左右がダブルテープドラムであるとし、ケース上段の背面、ケース下段の前面、及びケース中段の前面と背面にヘッド当接部を有し、かつ、テープ走行方向転換手段である対となる転向ローラが平行に設置された場合を基準とする。基準以外の取り扱いの場合にはその都度明記する。各装置の名称については、後述する説明を参照されたい。なお、ケース内の上段部分を上段ケース、中段部分を中段ケース、下段部分を下段ケースと呼称する。
【００２３】
また、基本的なターンテーブルの回転方向とテープの稼動状況は次のとおりである。ターンテーブルは総て左回転するものとし、ターンテーブルにセッティングされた右巻きのテープドラムのテープはドラム外周部で出力、ドラム内周部で入力の状態となり、左巻きのテープドラムのテープの場合はその逆の状態、すなわち、ドラム外周部で入力、ドラム内周部で出力の状態となる。
【００２４】
図１は、本発明の実施の形態１によるエンドレステープ用カセットの一構成例を示した外観斜視図である。図中の１００はカセット本体、１０１はカセットケース、１０２は上段ケース、１０３は中段ケース、１０４は下段ケース、１０５は開口、１０６は前面側ヘッド当接部、１０７は背面側ヘッド当接部、１５０は磁気テープである。
【００２５】
カセット本体１００は、磁気テープ１５０、カセットケース１０１等から成り、カセットケース１０１内には後述する複数のテープ循環機構を備える。カセットケース１０１は、樹脂製筐体から成り、ほぼ直方体形状である。ケース内は３つに区分され、上から順に、上段ケース１０２、中段ケース１０３、下段ケース１０４となっている。カセットケース１０１の前面及び背面の両サイドには、開口１０５が設けられており、両サイドの開口１０５を介して磁気テープ１５０の一部がケース外に露出する。この磁気テープ１５０の露出部分に磁気ヘッドが当接する。
【００２６】
図２〜図４は、図１のカセットにおける各ケース内を示した平面図であり、図２は上段ケース内を、図３は中段ケース内を、図４は下段ケース内をそれぞれ表している。また、図５は、図２のカセットにおけるＡ−Ａ線断面図であり、図６は、図２のカセットにおけるＢ−Ｂ線断面図である。
【００２７】
図中の１１１は動力伝達ギヤ、１１２は軸、１１３は円形ギヤ、１１４はターンテーブル、１１５はテーブルギヤ、１１６はテーパローラ、１１７は外周部ガイドローラ、１１８はガイドローラギヤ、１１９は軸、１２０は補助ローラ、１２１はコーナローラ、１２２は転向ローラ、１２３は内周部ガイドローラ、１２４はセーフティローラ、１２５はウエイトローラ、１２６はテーブル軸、１２７は開口部、１２８は駆動部係合孔、１２９は駆動部係合部、１３０はテーブル支持台部、１３１はテーブル支柱部、１３２はテーパギヤ、１５１はテープドラムである。なお、独自の装置名、及び装置内の特定部を示す各名称、呼称については、その名称、呼称に関する説明をもって、その名称、呼称の定義とする。
【００２８】
また、各装置の位置関係に関する表示（上、中、下、前、後、左、右、表、裏）等は、相対的概念的な任意の表示であるから、個別的に限定されたものではなく、他の位置関係の表示に読み替えても有効である。その時には、夫々の装置の位置関係についての表示は、整合性を損なわないように、位置関係に関する表示を読み替えるものとする。なお、以下に説明する以外の装置、設置方法、及び素材等については、従来のカセットの装置、設置方法、素材等を援用する。
【００２９】
各ケース底面左右の任意の位置にテーブル軸１２６と、これに密着したテーブル支持台部１３０を固着する（テーブル軸とテーブル支持台部が一体となった軸でも良い）。この時、各ケース１０２〜１０４のテーブル軸１２６及びテーブル支持台部１３０が同一直線上に夫々平行となるように設置する必要がある。ケース本体がこのような構造の仕様でもよい。
【００３０】
次に、円形ギヤ１１３を、テーブル軸１２６と同心円上のケース底面に固着する。この時、この円形ギヤ１１３は、ターンテーブル１１４が回転する時にテーパローラ１１６内周部側のテーパギヤ１３２が描く軌跡に等しい円周とし、テーパギヤ１３２に対向してケース底面に固着する必要がある。ケース本体がこのような構造の仕様でもよい。
【００３１】
又は、上記のテーブル軸、テーブル支持台部、及び円形ギヤが合体した構造のテーブル軸（以下、このようなテーブル軸を凸型テーブル軸と呼称する）にして、これを各ケース底面左右の任意の位置に固着してもよい、乃至は、ケース本体の底面が凸型テーブル軸を有する構造の仕様でもよい。
【００３２】
次に、テーブル支柱部１３１を、ターンテーブル１１４の外周部に対向してケース底面に固着する。ケース本体がこのような仕様でもよい。
【００３３】
ケース底面に上記のように、テーブル軸、テーブル支持台部、円形ギヤ、テーブル支柱部がセッティングされたら次の手順に移る。
【００３４】
各ケース左右のテーブル軸１２６に、回転台であるターンテーブル１１４をセッティングする。この時、動力伝達ギヤ１１１にテーブルギヤ１１５が噛合し、及び円形ギヤ１１３にテーパギヤ１３２が噛合する様にセッティングする必要がある。
【００３５】
各ターンテーブル１１４のテーパローラ１１６上に、テープドラム１５１をセットする。この時、上段ケース１０２、下段ケース１０４の右側、及び中段ケース１０３の左側のテープドラム１５１は、右巻きのテープドラムを、上段ケース１０２、下段ケース１０４の左側、及び中段ケース１０３の右側のテープドラム１５１は、左巻きのテープドラムをそれぞれセッティングする。但し、上、下段ケースのテープドラム１５１は単一テープドラムを、中段ケースのテープドラム１５１は、ダブルテープドラムを使用する。単一テープドラムは、１本のテープを巻いたドラムであり、ダブルテープドラムは、２本のテープを重畳して巻いたドラムである。
【００３６】
次に、テーパローラ１１６上の磁気テープ１５０が、テーパローラ１１６上から脱線しないようにテープドラム１５１の外周部及び内周部を円状に規制しテープ走行を安定させるために、規制ガイドとなるセーフティローラ１２４を設置する。
【００３７】
セーフティローラ１２４の設置方法は、ターンテーブル１１４が回転する時に、ターンテーブル１１４にセットされたテーパローラ１１６の内周部側と、テーパローラ１１６の外周部側が描く同心円状の２つの軌跡に対応して、各ケース上面に、セーフティローラ１２４の中心軸の一方だけを固着して複数設置する。この時、セーフティローラ１２４の先端がテーパローラ１１６及びターンテーブル１１４に接触しないように（セーフティローラ先端が宙吊りの状態になるように）設置する必要がある。又テーパローラ１１６の内周部側が描く円上と外周部側が描く円上に、半径方向に必ず対になるように、セーフティローラ１２４を任意の対設置する。以下において、テーパローラ１１６の内周部側が描く軌跡をテーパローラ内周円、テーパローラ１１６の外周部側が描く軌跡をテーパローラ外周円と呼称する。
【００３８】
セーフティローラ１２４をケース上面に取り付けるときに、同時にテープドラムの側面当接部となるウエイトローラ１２５を設置する。一対のセーフティローラ１２４（テーパローラ内周円上のセーフティローラと、テーパローラ外周円上のセーフティローラ）間のローラ上部に、ウエイトローラ１２５を挿入して取り付ける。この時、ウエイトローラ１２５の下面は、ターンテーブル１１４のテーパローラ１１６上にセットされたテープドラム１５１の上面より低い状態でなければならない。この事は、テープドラム上面（磁気テープの側面に相当）をウエイトローラ１２５のローラが押圧して、テープドラム１５１をテーパローラ１１６に圧着させ、テープドラムの走行を安定させる目的のためである。
【００３９】
ウエイトローラ１２５の設置方法は、セーフティローラ１２４のローラ、ウエイトローラ中心軸両サイドのリング（以下、このリングをローラリングと呼称する）、螺旋状のバネの順にセーフティローラの中心軸に挿入してセーフティローラの中心軸をセッティングする。この事は一対のセーフティローラ１２４とウエイトローラ１２５が一体となって構成されることを表す。
【００４０】
ウエイトローラ１２５の螺旋状のバネは、ケース上面とローラリング間に配置されて上下可動型のウエイトローラを下方に付勢することによって、テープドラム１５１の上面を押圧する目的がある。
【００４１】
次に、第１のテープ入出力手段である外周部ガイドローラ１１７を、テーブルギヤ１１５にガイドガイドローラギヤ１１８が噛合するように設置する。この外周部ガイドローラ１１７はテープドラム１５１へのテープの出入をガイドする為に設けられる。
【００４２】
外周部ガイドローラ１１７の設置位置は、コーナローラ１２１とターンテーブル１１４間の、各ケース内の任意の位置に設置する。また、上段ケース１０２の背面側及び下段ケース１０４の前面側の左右と、中段ケース１０３の前面側及び背面側の左右とに設けられる。このとき、各ケース間で上下に隣接する外周部ガイドローラの軸１１９は共通とする。
【００４３】
この外周部ガイドローラ１１７は、テーブルギヤ１１５から動力を受動する為のギヤであるガイドローラギヤ１１８と、ターンテーブル１１４上のテープドラム１５１へテープの出入をガイドするローラで構成される。また、テーブルギヤからガイドローラギヤへ供給される動力によって回転し、テープ走行を駆動するローラとしての機能を有する。
【００４４】
この時、外周部ガイドローラ１１７に隣接して補助ローラ１２０を設置して、両ローラ間をテープが走行する状態にする事で、ターンテーブル１１４へのテープの出入を強制する。これによって、テープドラム外周部のテープの流れをスムーズにする事が出来る。
【００４５】
次に、第２のテープ入出力手段である内周部ガイドローラ１２３、及びテープ走行方向転換手段である転向ローラ１２２を、各ケース底面の各テーブル軸１２６に対向して設置する。この時、各ローラ１２２、１２３はテープドラム１５１の内側に位置するように設けられる。また、上段ケース１０２及び中段ケース１０３におけるテーブル軸１２６の中央部には、テープがケース間で移動するのに必要な、テープの出入できる開口部１２７を設ける。
【００４６】
これにより、内周部ガイドローラ１２３及び転向ローラ１２２（以下、この２つのローラを総称してテープ転移装置と呼称する）が牽連して、テープが、ターンテーブル上のテープドラム内周部から、隣接した他のケース内のテープドラム内周部へ送られる。
【００４７】
このテープ転移装置によって、中段ケース１０３のテープドラム内周部から上段ケース１０２のテープドラム内周部へのテープの転移のように、夫々に隣接した各ターンテーブルのテープドラム内周部へのテープの転移が可能となる。
【００４８】
但し、中段ケース１０３のテープ転移装置は、上段ケース、及び下段ケースの各テープ転移装置に対応した２組の転移装置が必要である。この中段ケースにおける各転向ローラ１２２は、上段、及び下段ケースの転向ローラ１２２にそれぞれ平行となるように設置される。
【００４９】
また、上下一対のテープドラム間におけるテープの転移に関して、一方のテープドラム内周部から内周部ガイドローラ１２３を介して出力されたテープは、各転向ローラ１２２を経て、他方のテープドラム内周部の対向する位置に設けられた内周部ガイドローラ１２３を介して他方のテープドラム内周部に入力される。このとき、対になる転向ローラ１２２が平行に設けられているので、各テープドラム１５１に巻かれたテープの外周側の面と内周側の面が入れ替わることはない。
【００５０】
次に、テープがケース外のヘッド当接部に出入する為のコーナローラ１２１と、テープの出入に必要な開口１０５を、上段ケース１０２の背面、下段ケース１０４の前面、中段ケース１０３の前面及び背面の、左右の任意の位置に設置する。
【００５１】
このコーナローラ１２１及び開口１０５を介して、テープが、各ケース前面又は背面のヘッド当接部へ送り出されて、情報処理装置（以下、情報の記録、再生、及び消去等を行う装置を情報処理装置と呼称する）を具備した外部機器の磁気ヘッドに接触することになる。要するに、本実施形態のカセットにおいては、情報処理装置に対応するヘッド当接部が、都合４つ具備される事となる。
【００５２】
そして、外部機器の駆動部から供給される動力をカセットの各部に伝達して、カセットを稼動させる為に、各ケース左右に配置されたテーブル軸１２６の中心点を結んだ直線の前部及び後部における各テーブル軸の中心点から等距離上の任意の位置に、動力伝達ギヤ１１１を設置する。このとき、各ケース間の上下に隣接する動力伝達ギヤの軸１１２は共通とする。また、下段ケース１０４内の動力伝達ギヤ１１１には、駆動部係合部１２９が設けられており、この駆動部係合部の駆動部係合孔１２８に外部機器の駆動部が係合する。
【００５３】
上記の各ローラ１１７、１２０〜１２３の中心軸軸受け孔は、予め各ケースに仕様されているものとする
【００５４】
このように、ケースに各装置が設置されたカセットが稼動する時、テープは、次のように各装置に係わって走行する。その際、下記の呼称を用いて記載する。
【００５５】
（呼称）ターンテーブルＡ＝（呼称の意味内容）中段ケースの左側のターンテーブルを示す。
ターンテーブルＢ＝中段ケースの右側のターンテーブルを示す。
ターンテーブルＣ＝上段ケースの右側のターンテーブルを示す。
ターンテーブルＤ＝上段ケースの左側のターンテーブルを示す。
ターンテーブルｃ＝下段ケースの右側のターンテーブルを示す。
ターンテーブルｄ＝下段ケースの左側のターンテーブルを示す。
【００５６】
テープドラムＡ＝ターンテーブルＡにセットされたダブルテープドラムを示す。
テープドラムＢ＝ターンテーブルＢにセットされたダブルテープドラムを示す。
テープドラムＣ＝ターンテーブルＣにセットされた単一テープドラムを示す。
テープドラムＤ＝ターンテーブルＤにセットされた単一テープドラムを示す。
テープドラムｃ＝ターンテーブルｃにセットされた単一テープドラムを示す。
テープドラムｄ＝ターンテーブルｄにセットされた単一テープドラムを示す。
【００５７】
テープＡ＝テープドラムＡに巻かれた２本のテープのうちの一方のテープの外周部を示す。
テープａ＝テープドラムＡに巻かれた２本のテープのうちの他方のテープの外周部を示す。
テープＢ＝テープドラムＢに巻かれた２本のテープのうちの一方のテープの外周部を示す。
テープｂ＝テープドラムＢに巻かれた２本のテープのうちの他方のテープの外周部を示す。
テープＣ＝テープドラムＣに巻かれたテープの外周部を示す。
テープｃ＝テープドラムｃに巻かれたテープの外周部を示す。
テープＤ＝テープドラムＤに巻かれたテープの外周部を示す。
テープｄ＝テープドラムｄに巻かれたテープの外周部を示す。
テープ[Ａ]＝テープドラムＡに巻かれた２本のテープのうちの一方のテープの内周部を示す。
テープ[ａ]＝テープドラムＡに巻かれた２本のテープのうちの他方のテープの内周部を示す。
テープ[Ｂ]＝テープドラムＢに巻かれた２本のテープのうちの一方のテープの内周部を示す。
テープ[ｂ]＝テープドラムＢに巻かれた２本のテープのうちの他方のテープの内周部を示す。
テープ[Ｃ]＝テープドラムＣに巻かれたテープの内周部を示す。
テープ[ｃ]＝テープドラムｃに巻かれたテープの内周部を示す。
テープ[Ｄ]＝テープドラムＤに巻かれたテープの内周部を示す。
テープ[ｄ]＝テープドラムｄに巻かれたテープの内周部を示す。
【００５８】
テープ転移装置Ａ＝ターンテーブルＡの内側に設置され、テープ[Ａ]に対応したテープ転移装置を示す。
テープ転移装置ａ＝ターンテーブルＡの内側に設置され、テープ[ａ]に対応したテープ転移装置を示す。
テープ転移装置Ｂ＝ターンテーブルＢの内側に設置され、テープ[Ｂ]に対応したテープ転移装置を示す。
テープ転移装置ｂ＝ターンテーブルＢの内側に設置され、テープ[ｂ]に対応したテープ転移装置を示す。
テープ転移装置Ｃ＝ターンテーブルＣの内側に設置され、テープ[Ｃ]に対応したテープ転移装置を示す。
テープ転移装置ｃ＝ターンテーブルｃの内側に設置され、テープ[ｃ]に対応したテープ転移装置を示す。
テープ転移装置Ｄ＝ターンテーブルＤの内側に設置され、テープ[Ｄ]に対応したテープ転移装置を示す。
テープ転移装置ｄ＝ターンテーブルｄの内側に設置され、テープ[ｄ]に対応したテープ転移装置を示す。
【００５９】
外面テープ状態＝テープドラムに巻かれたテープの外周側の面をケースの外方に向けた状態を示す。
内面テープ状態＝テープドラムに巻かれたテープの内周側の面をケースの外方に向けた状態を示す。
【００６０】
上記呼称を使用して、以下にテープ走行状態の一例を示す。
【００６１】
テープＡは、テープドラムＡの外周部から出力され、中段ケース１０３の背面側左の外周部ガイドローラ１１７及びコーナローラ１２１を介し、中段ケースの背面側ヘッド当接部１０７を経て、中段ケース背面側右のコーナローラ及び外周部ガイドローラを介してテープＢに接続され、テープドラムＢの外周部に入力される。この時、背面側ヘッド当接部１０７におけるテープは、内面テープ状態となっている。
【００６２】
テープ[Ｂ]は、テープドラムＢの内周部から出力され、テープ転移装置Ｂによって、これに対向するテープ転移装置Ｃへ転移し、テープ[Ｃ]に接続されてテープドラムＣの内周部に入力される。
【００６３】
テープＣは、テープドラムＣの外周部から出力され、上段ケース１０２の背面側右の外周部ガイドローラ１１７及びコーナローラ１２１を介し、上段ケースの背面側ヘッド当接部１０７を経て、上段ケース背面側左のコーナローラ及び外周部ガイドローラを介してテープＤへ接続され、テープドラムＤの外周部に入力される。この時、背面側ヘッド当接部１０７におけるテープは、外面テープ状態となっている。
【００６４】
テープ[Ｄ]は、テープドラムＤの内周部から出力され、テープ転移装置Ｄによって、これに対向するテープ転移装置Ａへ転移してテープ[Ａ]に接続され、テープドラムＡの内周部に入力される。これによって、４つのテープドラムに巻かれたテープが１本化されて、テープＡ、Ｂ、[Ｂ]、[Ｃ]、Ｃ、Ｄ、[Ｄ]、[Ａ]、Ａの系列のテープ回路が構成される。
【００６５】
同様に、上記のテープ稼動に同時並行して、テープａは、テープドラムＡの外周部から出力され、中段ケースの前面側左の外周部ガイドローラ及びコーナローラを介し、中段ケースの前面側ヘッド当接部１０６を経て、中段ケースの前面側右のコーナローラ及び外周部ガイドローラを介してテープｂに接続され、テープドラムＢの外周部に入力される。この時、前面側ヘッド当接部１０６におけるテープは、外面テープ状態となっている。
【００６６】
テープ[ｂ]は、テープドラムＢの内周部から出力され、テープ転移装置ｂによって、これに対向するテープ転移装置ｃへ転移し、テープ[ｃ]に接続され、テープドラムｃの内周部に入力される。
【００６７】
テープｃは、テープドラムｃの外周部から出力され、下段ケース１０４の前面側右の外周部ガイドローラ及びコーナローラを介し、下段ケースの前面側ヘッド当接部１０６を経て、下段ケースの前面側左のコーナローラ及び外周部ガイドローラを介してテープｄへ接続され、テープドラムｄの外周部に入力される。この時、前面側ヘッド当接部１０６におけるテープは、内面テープ状態となっている。
【００６８】
テープ[ｄ]は、テープドラムｄの内周部から出力され、テープ転移装置ｄによって、これに対向するテープ転移装置ａへ送り出され、テープ[ａ]に接続されてテープドラムＡの内周部に入力される。これによって、テープａ、ｂ、[ｂ]、[ｃ]、ｃ、ｄ、[ｄ]、[ａ]、ａの系列のテープ回路が構成される。
【００６９】
以上のテープセッティングによって、夫々のテープ回路が分離した２系列のテープ回路が構成され、各系列におけるヘッド当接部での外面テープ状態及び内面テープ状態の異なる２つの系統（テープの２つの面に相当）と合わせて、２系統２系列のテープ利用が可能となる。つまり、各ヘッド当接部において異なる情報の記録再生を行えるようになる。例えば、上段ケース１０２の背面側ヘッド当接部１０７で情報の記録を行うと同時に、中段ケース１０３の背面側ヘッド当接部１０７で情報の記録、再生、又は消去を行うといったことが可能となる。
【００７０】
次に、上述したテープ走行状態を、下記の記号を用いてテープ回路を図式化する。以下において、テープの各装置への関わり方、テープの走行状態を記載する場合には、テープ回路式をもってこの記載に替えるものとする。テープ回路式の各記号は、前記段落「００５４」〜「００５８」の呼称を準用する。又、記号とその記号の意味は、下記例示記載の通りとし、各記号を当てはめて読み替えるものとする。
【００７１】
（１）、（記号）Ａ＝（記号の示す意味内容）テープＡを示す。
（２）、[Ａ]＝テープ[Ａ]を示す。
（３）、ａ＝テープａを示す。
（４）、[ａ]＝テープ[ａ]を示す。
（５）、→＝テープの正接続（テープドラムに巻かれたテープどうしの接続において、各テープの外周側の面及び内周側の面が互いに入れ替わらない接続）を示す。
（６）、↓＝テープの反転（逆）接続（テープドラムに巻かれたテープどうしの接続において、各テープの外周側の面及び内周側の面が互いに入れ替わる接続）を示す。
【００７２】
（７）、Ａ‖Ｄ＝テープ転移装置Ａ及びＤが互いに平行に設置された場合におけるテープ転移装置Ａからテープ転移装置Ｄへのテープの転移を示す。
（８）、Ａ⊥Ｄ＝テープ転移装置Ａ及びＤがケース間の境界面に対して互いに面対称に設置された場合におけるテープ転移装置Ａからテープ転移装置Ｄへのテープの転移を示す。
【００７３】
（９）、上∪＝上段ケースの前面側のヘッド当接部における外面テープ状態を示す。
（１０）、中∪＝中段ケースの前面側のヘッド当接部における外面テープ状態を示す。
（１１）、下∪＝下段ケースの前面側のヘッド当接部における外面テープ状態を示す。
（１２）、（上∪）＝上段ケースの前面側のヘッド当接部における内面テープ状態を示す。
（１３）、（中∪）＝中段ケースの前面側のヘッド当接部における内面テープ状態を示す。
（１４）、（下∪）＝下段ケースの前面側のヘッド当接部における内面テープ状態を示す。
【００７４】
（１５）、上∩＝上段ケースの背面側のヘッド当接部における外面テープ状態を示す。
（１６）、中∩＝中段ケースの背面側のヘッド当接部における外面テープ状態を示す。
（１７）、下∩＝下段ケースの背面側のヘッド当接部における外面テープ状態を示す。
（１８）、（上∩）＝上段ケースの背面側のヘッド当接部における内面テープ状態を示す。
（１９）、（中∩）＝中段ケースの背面側のヘッド当接部における内面テープ状態を示す。
（２０）、（下∩）＝下段ケースの背面側のヘッド当接部における内面テープ状態を示す。
【００７５】
上記記号を用いて、上述したテープ走行状態をテープ回路式によって表すと次のようになる。
【００７６】
回路式１（１）、「Ａ・（中∩）・→Ｂ／[Ｂ]・Ｂ‖Ｃ・→[Ｃ]／Ｃ・上∩・→Ｄ／[Ｄ]・Ｄ‖Ａ・→[Ａ]」。
回路式１（２）、「ａ・中∪・→ｂ／[ｂ]・ｂ‖ｃ・→[ｃ]／ｃ・（下∪）・→ｄ／[ｄ]・ｄ‖ａ・→[ａ]」。
【００７７】
テープ回路式１の概要を説明すると、各テープ回路は同時稼動し、総ての対となるテープ転移装置は互いに平行に設置されており、テープがいずれも正接続され、中段ケースにダブルテープドラム、上段、下段ケースに単一テープドラムを使用した場合のテープ回路式である。テープＡの系列のテープ回路式１（１）と、テープａの系列のテープ回路式１（２）が、夫々分離した２つの系列のテープ回路を構成する。
【００７８】
この時、テープＡの系列のテープは、上段ケースの背面側及び中段ケースの背面側のヘッド当接部を走行し、中段ケースの背面側ヘッド当接部で内面テープ状態、上段ケースの背面側ヘッド当接部で外面テープ状態となる。又、テープａの系統のテープは、中段ケース前面側及び下段ケース前面側のヘッド当接部を走行し、中段ケースの前面側ヘッド当接部で外面テープ状態、下段ケースの前面側ヘッド当接部で内面テープ状態となる。
【００７９】
次に、テープ走行形態のその他の構成例について以下に説明する。
【００８０】
例えば、テープドラムに巻かれたテープどうしの接続において、テープ[Ｄ]とテープ[Ａ]の接続、及びテープ[ｄ]とテープ[ａ]の接続に代えて、テープ[Ｄ]とテープ[ａ]を接続し、かつテープ[ｄ]とテープ[Ａ]を接続することによって、全てのテープドラムに巻かれたテープが１本化されて、１つのテープ回路を構成することができる。これをテープ回路式で表すと次のようになる。
【００８１】
回路式２、「Ａ・（中∩）・→Ｂ／[Ｂ]・Ｂ‖Ｃ・→[Ｃ]／Ｃ・上∩・→Ｄ／[Ｄ]・Ｄ‖Ａ・→[ａ]／ａ・中∪・→ｂ／[ｂ]・ｂ‖ｃ・→[ｃ]／ｃ・（下∪）・→ｄ／[ｄ]・ｄ‖ａ・→[Ａ]」。
【００８２】
テープ回路式２の概要を説明すると、総ての対となるテープ転移装置は平行に設置されており、いずれのテープも正接続され、中段ケースにダブルテープドラムを使用した場合のテープ回路式である。テープＡ、及びテープａの系列のテープが互いに正接続されて、１つのテープ回路を構成し、エンドレスなテープ走行をする。これによって、１本化されたテープの長さが長くなり、各ヘッド当接部でのテープに対する記録再生量の増大を図ることができる。また、異なるヘッド当接部において、テープの両方の面に対して同時に記録再生を行うことができる。
【００８３】
更に、１本化されたテープ回路中のテープどうしの接続において、例えば、テープ[Ｄ]及びテープ[ａ]の接続を正接続に代えて、反転（逆）接続することによって、メビウスの帯状態でテープのエンドレス化がなされる。これをテープ回路式で表すと次のようになる。
【００８４】
回路式３、「Ａ・（中∩）・→Ｂ／[Ｂ]・Ｂ‖Ｃ・→[Ｃ]／Ｃ・上∩・→Ｄ／[Ｄ]・Ｄ⊥Ａ・↓[ａ]／ａ・中∪・→ｂ／[ｂ]・ｂ‖ｃ・→[ｃ]／ｃ・（下∪）・→ｄ／[ｄ]・ｄ‖ａ・→[Ａ]」。
【００８５】
テープ回路式３の概要を説明すると、テープ転移装置Ｄ及びＡは互いに面対称に設置され、他の対となるテープ転移装置は互いに平行に設置されている。テープＡ、及びテープａの２つの系列のテープが、面対称に設置されたテープ転移装置によって反転（逆）接続されて、メビウスの帯状態でテープ走行をする。これによって、各ヘッド当接部において、１本化されたテープの両方の面に対して記録再生を行うことができる。
【００８６】
また、テープドラムに巻かれるテープに関して、例えば、テープの一方の面のみに磁気記録層が形成される場合、その磁気記録層が形成された面を外周側に向けて巻かれたテープドラムと、磁気記録層が形成された面を内周側に向けて巻かれたテープドラムとが存在する。前者を外面テープドラム、後者を内面テープドラムと呼称し、これらのテープドラムと、磁気記録層が形成された面どうしを互いに重畳して巻かれたダブルテープドラムを用いてテープ回路を構成することもできる。これをテープ回路式で表すと次のようになる。
【００８７】
回路式４（１）、「Ａ・中∪・→Ｂ／[Ｂ]・Ｂ‖Ｃ・→[Ｃ]／Ｃ・上∩・→Ｄ／[Ｄ]・Ｄ‖Ａ・→[Ａ]」。
回路式４（２）、「ａ・（中∩）・→ｂ／[ｂ]・ｂ‖ｃ・→[ｃ]／ｃ・（下∪）・→ｄ／[ｄ]・ｄ‖ａ・→[ａ]」。
【００８８】
テープ回路式４の概要を説明すると、各テープ回路は同時稼動し、総ての対となるテープ転移装置は互いに平行に設置されており、テープがいずれも正接続され、中段ケースに上述したダブルテープドラム、上段ケースに外面テープドラム、下段ケースに内面テープドラムを使用した場合のテープ回路式である。これによって、２つの異なる系列のテープ回路を構成することができるとともに、テープの磁気記録層が形成された面のみをヘッド当接部において露出させることができる。
【００８９】
また、全てのテープドラムに巻かれたテープを１本化して１つのテープ回路を構成することもできる。回路式で表すと次のようになる。
【００９０】
回路式５、「Ａ・中∪・→Ｂ／[Ｂ]・Ｂ‖Ｃ・→[Ｃ]／Ｃ・上∩・→Ｄ／[Ｄ]・Ｄ⊥Ａ・↓[ａ]／ａ・（中∩）・→ｂ／[ｂ]・ｂ‖ｃ・→[ｃ]／ｃ・（下∪）・→ｄ／[ｄ]・ｄ⊥ａ・↓[Ａ]」。
【００９１】
テープ回路式５の概要を説明すると、テープ回路中において、２箇所の対となるテープ転移装置（テープ転移装置ＤとＡ、並びにテープ転移装置ｄとａ）が互いに面対称に設置され、他の対となるテープ転移装置は平行に設置されており、テープが反転（逆）接続される。これによって、１本化されたテープの磁気記録層が形成された面のみをヘッド当接部において露出させることができる。
【００９２】
次に、各装置の詳細について説明する。図７は、図５のカセットにおけるＣ部拡大図であり、図8は、図５のカセットのＣ部斜視図である。
【００９３】
ターンテーブル（回転台）１１４について説明する。外周縁がギヤ（このギヤをテーブルギヤと呼称する）になった、中心部に穴の空いた円板である。この円板には、放射状に開口部１３５が複数設けてある。開口部１３５には、テーパローラ１１６（テープドラムの外周部及び内周部におけるテープの入出力の速さが等しくなるようにローラ面の傾斜角が設定されたローラ）の軸が、ローラ面の傾斜角に等しい角度で軸支されている。
【００９４】
この時、テーパローラ１１６のローラ面は、ターンテーブル１１４の台面と平行になるように露出（突出）した状態でなければならない。また、ターンテーブルは、ターンテーブルの円板内周縁が軸受けとなってテーブル軸１２６の外周に嵌合し、ターンテーブルが回転自在となる構造のテープ収納装置（テープリール）である。また、テーパギヤ１３２が円形ギヤ１１３に噛合し、ターンテーブルの回転運動に連動して各テーパローラ自体が回転運動が出来る状態でなければならない。
【００９５】
テープ送り手段であるテーパローラ１１６について説明する。ターンテーブル１１４にテープドラムをセッティングする時のテープ搭載基盤となるローラで、ターンテーブルの台面の放射状開口部１３５に軸支される。ローラ面が所定の傾斜角でローラ底部からローラ上部へ収斂する形状をしたローラ部と、ローラ底面に設けられ、ローラ部と等しい逆の傾斜角で軸に収斂する形状のギヤ部（このギヤ部をテーパギヤと呼称する）で構成された、紡錘状のローラである。但し、テープの走行を阻害しない為に、ギヤ部の最大円周は、ローラ底面の円周より小さくしなければならない。
【００９６】
テーパローラ１１６上にセッティングされたテープドラムの内周部及び外周部におけるテープ走行のケースに対する速さを互いに等しくするためには、ローラ底面の円周の長さａとローラ上面の円周の長さｂを、次の数式に適合する数値で設定しなければならない。
【００９７】
数式１、Ｐ＝Ｃ÷ｃ
数式２、ａＰ＋Ａ＝ｂＰ＋Ｂ
数式３、ａ＝ｂ＋（Ｂ−Ａ）÷Ｐ
数式４、ｂ＝ａ＋（Ａ−Ｂ）÷Ｐ
【００９８】
ここで、ターンテーブルが１回転する時にテーパローラ底面部が描く円周の長さをＡ、ターンテーブルが１回転する時にテーパローラ上面部が描く円周の長さをＢ、ターンテーブルが１回転したときのテーパローラの回転数をＰ、テーパギヤの有効円周の長さをｃ、円形ギヤの有効円周の長さをＣとした。
【００９９】
ターンテーブルが１回転する時のテーパローラの回転数Ｐは、数式１となる。この時、ターンテーブルにセッティングされたテープドラムのテーパローラ底面部を走行するテープのケースに対する速さと、テーパローラ上面部を走行するテープのケースに対する速さが互いに等しくなるようにする為には、数式２の式が成り立たなければならない。故に、テーパローラのローラ底面の円周ａが、数式３、テーパローラのローラ上面の円周ｂが、数式４となるように設定する必要がある。
【０１００】
外周部ガイドローラ１１７について説明する。コーナローラ１２１とターンテーブル１１４間のケース内にターンテーブル外周部に隣接して設置される。このローラは、テーブルギヤ１１５から動力を受動し、任意の円周の補助ローラ１２０と相俟って、テープドラムへのテープの出入を強制する円柱状のローラである。ローラの下部には、テーブルギヤ１１５から動力を受動する為のギヤ部（このギヤ部をガイドローラギヤと呼称する）が設けられている。
【０１０１】
この時、ターンテーブルにセッティングされたテープドラムの外周部におけるテープのケースに対する入出力の速さと、外周部ガイドローラ１１７の回転運動におけるローラ面の速さが互いに等しくなるように、外周部ガイドローラの円周の長さｅは次の数式に適合する数値で設定しなければならない。
【０１０２】
数式５、Ｑ＝Ｄ÷ｄ
数式６、ｅＱ＝ｂＰ＋Ｂ
数式７、ｅ＝（ｂＰ＋Ｂ）÷Ｑ
【０１０３】
ここで、テーブルギヤの有効円周の長さをＤ、ガイドローラギヤの有効円周の長さをｄ、ターンテーブルが１回転した時の外周部ガイドローラの回転数をＱとした。
【０１０４】
ターンテーブルが１回転した時の外周部ガイドローラの回転数Ｑは、数式５となる。この時、ターンテーブルにセットされたテープドラム外周部におけるテープの入出力の速さと、外周部ガイドローラの回転速度を互いに等しくする為には、数式６の式が成り立たなければならない。故に、数式７となるように外周部ガイドローラの円周ｅを設定する必要がある。
【０１０５】
テープ転移装置（内周部ガイドローラ及び転向ローラ）について説明する。これは、内周部ガイドローラ１２３及び転向ローラ１２２の２本のローラが牽連して、テープをテープドラム内周部から取り出し、テープの走行方向をターンテーブルの回転面に対して交差する方向に転換させる装置である。
【０１０６】
内周部ガイドローラ及び転向ローラの関連は、次に掲げる各ローラの説明のとおりである。
【０１０７】
内周部ガイドローラ１２３について説明する。円柱状のローラであり、任意の円周のローラである。テープドラム内周部のテープに隣接して設けられ、ケース底面のテーブル軸１２６上の任意の位置に、ローラ面がテープドラム内周面に平行になるように設置される。又、テープドラム内周部から入出力されるテープの走行方向がほぼ９０°の角度向きを変えるように設置される。
【０１０８】
又は、任意に外周部ガイドローラ１１７及び内周部ガイドローラ１２３を互いに等しい円周とし、これらが等速で連動するような装置とすることも出来る。この場合には、ケース上面との間にギヤケースを配置し、このギヤケース内に、外周部ガイドローラ及び内周部ガイドローラに直結した同径同ピッチのギヤをそれぞれ設置する。そして、両ギヤ間に両ギヤと同ピッチの任意のギヤを二個取り付け、各ギヤが連動するようにギヤを噛合させる。これによって、外周部ガイドローラ及び内周部ガイドローラが互いに逆回転の駆動ローラになり、テープドラム内周部のテープ出入機能がアップする。この場合は、外周部ガイドローラの円周と、内周部ガイドローラの円周は、必ず同一サイズにしなければならない。
【０１０９】
転向ローラ１２２について説明する。テープの走行方向を、ターンテーブルの回転面に対して垂直な方向に変えるためのローラで、任意の円周を持った円柱状のローラである。内周部ガイドローラ及び転向ローラのローラ面が同一面上にあり、テーブル軸上の任意の位置に、内周部ガイドローラに対してほぼ４５°の傾斜角となるように設置される。但し、ケース間の相対する転向ローラが、位相の関連にある場合は、転向ローラの傾斜角を４５°と限定する必要は無く、任意とする。
【０１１０】
各ケースに収納される転向ローラは、上下のケース間で相対する一対の転向ローラが互いに平行、又は面対称となるように設置される。この時、互いに平行に設置された場合の各テープ転移装置における内周部ガイドローラは、上側及び下側で互いに対向する位置にあり、１８０°位相の関係になる。つまり、上側の内周部ガイドローラは、下側の内周部ガイドローラとターンテーブルの回転軸に対して互いに反対側に位置している。また、互いに面対称に設置された場合の内周部ガイドローラは、上側及び下側のテープ転移装置においてテーブル軸に対して同じ側に設置される。なお、相対する転向ローラ間のケース間仕切り面には、テープが出入する開口部１２７を設ける。
【０１１１】
コーナローラ１２１について説明する。テープがケース外のヘッド当接部であるテープ走行経路へ出入できるようにガイドする為のローラである。また、任意の円周を持った円柱形状のローラである。上段ケース１０２の背面側、下段ケース１０４の前面側、及び中段ケース１０３の前面側と背面側の左右の任意の位置に設置される。なお、ローラサイドのケース側面には、テープが出入する開口１０５を設ける。
【０１１２】
テーブル軸１２６について説明する。ターンテーブル１１４を回転自在に軸支するための円筒状の軸である。各ケース左右のケース底面に前後左右対称となるように固着された、ターンテーブル内周縁とほぼ等しい円周を持った軸である（但し、ターンテーブルをセットしたときに、ターンテーブルが回転できる状態でなければならない）。ターンテーブルが稼動する時にテープの走行を阻害しないように、テーブル軸の高さは、ターンテーブルをセットした時のターンテーブルの台面及びテーパローラ面より低くなる様に設定しなければならない。ケース本体がテーブル軸を備えた仕様でもよい。
【０１１３】
テーブル支持台部１３０について説明する。ターンテーブル内周縁下部（ターンテーブル軸受下部）を支えるための任意の幅を持った円形の支柱である。設置位置は、ターンテーブル軸受け部分（ターンテーブル内周縁）下部に対向し、テーブル軸と同心でテーブル軸に密着してケース底面に固着される。ケース本体がテーブル支持台部を備えた仕様でもよい。
【０１１４】
円形ギヤ１１３について説明する。この円形ギヤは、ターンテーブル１１４に設けられたテーパローラ１１６のテーパギヤ１３２に噛合し、ターンテーブルの回転に連動して、テーパローラに回転運動を与える為に設置される。また、ターンテーブルが回転するときにテーパギヤが描く軌跡に等しい円周となっており、テーパギヤに円形ギヤが噛合する高さを持った円筒状のギヤである。そして、円筒上部がギヤ形状をしている円形のギヤである。各ターンテーブルのテーパギヤに対向して、テーブル軸と同心であるようにケース底面に固着される。ケース本体が円形ギヤを備えた仕様でもよい。
【０１１５】
テーブル支柱部１３１について説明する。ターンテーブル外周縁下部を支えるための任意の幅を持った支柱である。設置位置はターンテーブル外周縁下部に対向して、テーブル軸と同心であるようにケース底面に固着される。ケース本体がテーブル支柱部を備えた仕様でもよい。
【０１１６】
又、テーブル軸、テーブル支持台部、円形ギヤが一体となった構造のテーブル軸にしても有効である（この形状をしたテーブル軸を、凸型テーブル軸と呼称する）。又、ケース本体が凸型テーブル軸を備えた仕様でもよい
【０１１７】
動力伝達ギヤ１１１について説明する。カセットを稼動させる為に外部機器からカセットの各装置に動力を供給する為のギヤである。上段、中段ケースと下段ケースで異なった形状をしたギヤが一体となった構造のギヤである。下段ケースのギヤには、片側が閉じられた円筒状の形状をした駆動部係合部１２９が設けられており、円筒内部が駆動部係合孔１２８となっている。この駆動部係合孔には、外部機器の駆動部から動力を受動する為のギヤ（以下、受動ギヤと呼称する）が設けられている。そして、円筒外部にターンテーブル１１４へ動力を伝達する為のギヤ（以下、このギヤを伝達ギヤと呼称する）を有する構造をしたギヤである。この伝達ギヤがテーブルギヤ１１５に噛合してターンテーブルに動力を供給する。
【０１１８】
この下段ケースの動力伝達ギヤと次に記述する中段、上段ケースに配置される動力伝達ギヤの軸１１２が接続されて一体となっている。ギヤの設置される位置は、各ケース左右に配置されたテーブル軸１２６から等距離上の任意の位置の前部及び後部に設置される（前部又は後部に単体で設けても良い）。中段、上段の各ケースに配置される動力伝達ギヤは、中心軸を有する円盤状のギヤである。このギヤと、テーブルギヤが噛合して各ターンテーブルに動力を供給する。上、中、下段の各中心軸が、各間仕切り（上段ケース底面、及び中段ケース底面）の軸貫通孔を貫通して隣接した夫々の中心軸に接続されて上中下段の各ギヤが一体となっている。
【０１１９】
セーフティローラ１２４について説明する。ターンテーブルのテーパローラ上にセッティングされたテープドラムがテーパローラ上から脱線するのを防止する為のローラで、テーパローラ上のテープドラムを安定させるために設置される。円筒状のローラにローラ中心軸が挿入され、ローラ中心軸の片方だけがケース上面に固着されたローラである。設置方法は、テーパローラ内周円及びテーパローラ外周円に対向して、各ケース上面の、テーパローラ内周円上及びテーパローラ外周円上に、同円の中心点を基点とする放射線上で対になるように任意の対固着する。
【０１２０】
この時、ローラ先端部がテーパローラに接触しないようにローラ自体が宙吊りの状態になるようにしなければならない。又ローラ幅をテープの幅より小さく設定する必要がある。これは、ローラ上部に設置されるウエイトローラがテープドラムの上面を押圧する為のスペースが必要だからである。故にセーフティローラのローラ上端はテープドラム上端より低く設定する必要がある。
【０１２１】
ウエイトローラ１２５について説明する。これは、テーパローラ上にセッティングされたテープドラムの上面（テープ側面)を押圧して、テープの安定した走行を確保するために設置される。ローラは円筒状で、ローラ中心軸の両サイドが、セーフティローラのローラ中心軸を挿入するためのリング１３４（又は、セーフティローラのローラ中心軸が貫通するための軸貫通孔を備えた構造）になった形状のローラである。
【０１２２】
取り付け方法は、一対のセーフティローラ（テーパローラ内周円上及びテーパローラ外周円上のセーフティローラ）の中心軸を各ケース上面に固着する時に、セーフティローラのローラ、ウエイトローラ中心軸両サイドのリング（又は、軸貫通孔）、螺旋状のバネ１３３（以下、バネと呼称する）の順序で、セーフティローラ中心軸に挿入して、セーフティローラの中心軸を固着する。要するに、一対のセーフティローラ間にウエイトローラが配置された形状となる。
【０１２３】
テープドラム１１４について説明する。テープを円状に巻いて束ねたドラムの総称とする。テープドラムには、１本の単一のテープが巻かれたテープドラム（この様なテープドラムを単一テープドラムと呼称する）、テープが二重に巻かれた状態のテープドラム（この様なテープドラムをダブルテープドラムと呼称する）、磁気記録層が形成された面を互いに重畳して巻かれた状態のダブルテープドラムの３態様のテープドラムがある。使用に当たっては、右巻き、又は、左巻きの状態での使用選択肢がある。
【０１２４】
なお、上段ケース、下段ケースのコーナローラ及び外周部ガイドローラ等をケース前面側、又は背面側に配置してヘッド当接部を設けることによって、ヘッド当接部におけるテープ走行状態を外面テープ状態、又は内面テープ状態に任意に設定することができる。また、テープドラムの上記態様の選択や、対となるテープ転移装置の設置の仕方（互いに平行に設置する、或いは互いに面対称に設置する）の選択によって、上記した以外にも多様なテープ走行形態が可能である。これによって、さまざまな用途に応じた利用効果が得られる。
【０１２５】
実施の形態２．
次に、カセットケースが、上段、下段と２つに区分された２段式のカセットについて詳述する。以下の説明は、動力伝達ギヤが右回転して、総てのターンテーブルが左回転し、かつ、上下段の各ターンテーブルにダブルテープドラムがセッティングされ、テープ接続が正接続された場合を基準に記載する。以下に説明する以外の事項は前述した実施の形態１と同様である。
【０１２６】
図９は、本発明の実施の形態２によるエンドレステープ用カセットの一構成例を示した外観斜視図である。図中の２００はカセット本体、２０１はカセットケース、２０２は上段ケース、２０３は下段ケース、２０６は前面側ヘッド当接部、２０７は背面側ヘッド当接部である。
【０１２７】
各ケースの前面及び背面の両サイドに開口１０５が設けられ、両サイドの開口を介してテープ回路の一部がケース外に露出し、ヘッド当接部２０６、２０７となっている。
【０１２８】
図１０、図１１は、図９のカセットにおける各ケース内を示した平面図であり、図１０は上段ケース内を、図１１は下段ケース内をそれぞれ表している。また、図１２は、図１０のカセットにおけるＡ−Ａ線断面図であり、図１３は、図１０のカセットにおけるＢ−Ｂ線断面図である。
【０１２９】
予め、凸型テーブル軸、テーブル支柱部、外周部ガイドローラ軸受孔、補助ローラ軸受孔、内周部ガイドローラ軸受孔、転向ローラ軸受孔、コーナローラ軸受孔、テープ出入開口部、動力伝達ギヤ中心軸貫通孔、下段ケース動力伝達ギヤ係合孔、及び各ローラの中心軸軸受け孔が備わった、カセットの外郭を成す上段ケース部分及び下段ケース部分と、ケース上蓋を準備する。この場合、上段ケース２０２、下段ケース２０３、及びケース上蓋がジョイントされたときに、上下で対向する装置が同一垂直線上に配置されるような仕様とする。
【０１３０】
次に、上記の各ケース及び上蓋に、以下に記す手順で各装置をセットして、カセットを構築する。その際、各装置を識別するために、次の呼称を用いて記載する。
【０１３１】
１、（呼称）ターンテーブルＡ＝（呼称の内容）下段ケース左側のターンテーブルを示す。
２、ターンテーブルＢ＝下段ケース右側のターンテーブルを示す。
３、ターンテーブルＣ＝上段ケース右側のターンテーブルを示す。
４、ターンテーブルＤ＝上段ケース左側のターンテーブルを示す。
５、テープドラムＡ＝ターンテーブルＡにセットされたダブルテープドラムを示す。
６、テープドラムＢ＝ターンテーブルＢにセットされたダブルテープドラムを示す。
７、テープドラムＣ＝ターンテーブルＣにセットされたダブルテープドラムを示す。
８、テープドラムＤ＝ターンテーブルＤにセットされたダブルテープドラムを示す。
【０１３２】
９、テープＡ＝テープドラムＡに巻かれた２本のテープのうちの一方のテープの外周部テープを示す。
１０、テープａ＝テープドラムＡに巻かれた２本のテープのうちの他方のテープの外周部テープを示す。
１１、テープＢ＝テープドラムＢに巻かれた２本のテープのうちの一方のテープの外周部テープを示す。
１２、テープｂ＝テープドラムＢに巻かれた２本のテープのうちの他方のテープの外周部テープを示す。
１３、テープＣ＝テープドラムＣに巻かれた２本のテープのうちの一方のテープの外周部テープを示す。
１４、テープｃ＝テープドラムＣに巻かれた２本のテープのうちの他方のテープの外周部テープを示す。
１５、テープＤ＝テープドラムＤに巻かれた２本のテープのうちの一方のテープの外周部テープを示す。
１６、テープｄ＝テープドラムＤに巻かれた２本のテープのうちの他方のテープの外周部テープを示す。
【０１３３】
１７、テープ[Ａ]＝テープＡの、テープドラムＡ内周部テープを示す。
１８、テープ[ａ]＝テープａの、テープドラムＡ内周部テープを示す。
１９、テープ[Ｂ]＝テープＢの、テープドラムＢ内周部テープを示す。
２０、テープ[ｂ]＝テープｂの、テープドラムＢ内周部テープを示す。
２１、テープ[Ｃ]＝テープＣの、テープドラムＣ内周部テープを示す。
２２、テープ[ｃ]＝テープｃの、テープドラムＣ内周部テープを示す。
２３、テープ[Ｄ]＝テープＤの、テープドラムＤ内周部テープを示す。
２４、テープ[ｄ]＝テープｄの、テープドラムＤ内周部テープを示す。
【０１３４】
２５、転移装置Ａ＝ターンテーブルＡ内周部に設置された、テープ[Ａ]に対応するテープ転移装置を示す。
２６、転移装置ａ＝ターンテーブルＡ内周部に設置された、テープ[ａ]に対応するテープ転移装置を示す。
２７、転移装置Ｂ＝ターンテーブルＢ内周部に設置された、テープ[Ｂ]に対応するテープ転移装置を示す。
２８、転移装置ｂ＝ターンテーブルＢ内周部に設置された、テープ[ｂ]に対応するテープ転移装置を示す。
２９、転移装置Ｃ＝ターンテーブルＣ内周部に設置された、テープ[Ｃ]に対応するテープ転移装置を示す。
３０、転移装置ｃ＝ターンテーブルＣ内周部に設置された、テープ[ｃ]に対応するテープ転移装置を示す。
３１、転移装置Ｄ＝ターンテーブルＤ内周部に設置された、テープ[Ｄ]に対応するテープ転移装置を示す。
３２、転移装置ｄ＝ターンテーブルＤ内周部に設置された、テープ[ｄ]に対応するテープ転移装置を示す。
【０１３５】
３３、外面テープ状態＝テープドラムに巻かれたテープの外周側の面をケースの外方に向けた状態を示す。
３４、内面テープ状態＝テープドラムに巻かれたテープの内周側の面をケースの外方に向けた状態を示す。
【０１３６】
各装置の配置状況は、上段、下段ケースの左右に夫々ターンテーブルＡ、Ｂ、Ｃ、Ｄを設置し、夫々のターンテーブルにダブルテープドラムＡ、Ｂ、Ｃ、Ｄをセッティングする。夫々のターンテーブル内周部に２本のテープに対応する２組の転移装置Ａとａ、Ｂとｂ、Ｃとｃ、Ｄとｄを設置する。ターンテーブル外周部に、外周部ガイドローラ１１７、補助ローラ１２０、前部及び後部コーナローラ１２１の２組のコーナローラ、そして、左右のターンテーブル間の前方部、及び後方部の両ターンテーブルから等距離上の位置に動力伝達ギヤ１１１を設置する。
【０１３７】
先ず、下段ケース左右の凸型テーブル軸１２６に、ターンテーブル１１４をセッティングする。この時、テーパギヤが円形ギヤに噛合する様にセットする必要がある。そして、ターンテーブルＡに右巻きのテープドラムＡ、ターンテーブルＢに左巻きのテープドラムＢをセットする。
【０１３８】
２組の転移装置として、テーブル軸内周部の内周部ガイドローラ軸受孔、及び転向ローラ軸受孔に夫々内周部ガイドローラ１２３、転向ローラ１２２の中心軸をセットする。転向ローラについては、上段ケース２０２及び下段ケース２０３の対となる転向ローラが互いに平行に設置される。この場合は、上下のテープドラムのテープは互いに正接続される。なお、対となる転向ローラが互いに面対称に設置される場合には、テープが反転して反転（逆）接続される。
【０１３９】
ターンテーブル外周部の、外周部ガイドローラ軸受孔、補助ローラ軸受孔、コーナローラ軸受孔に夫々外周部ガイドローラ１１７、補助ローラ１２０、コーナローラ１２１の中心軸をセットする。この時、ガイドローラギヤ及びテーブルギヤが噛合する様にセッティングする。
【０１４０】
次に、テープドラムＡのテープＡを、下段ケースの前面側左の外周部ガイドローラ及びコーナローラを介して、下段ケースの前面側ヘッド当接部２０６のテープ走行経路に導入する。同時にテープドラムＢのテープＢを、下段ケースの前面側右の外周部ガイドローラ及びコーナローラを介して、前面側ヘッド当接部のテープ走行経路に導入する。そして、夫々のテープを正接続する。同様に、テープドラムＡのテープａを、下段ケースの背面側左の外周部ガイドローラ及びコーナローラを介して、下段ケースの背面側ヘッド当接部２０７のテープ走行経路に導入する。同時にテープドラムＢのテープｂを、下段ケースの背面側右の外周部ガイドローラ及びコーナローラを介して、背面側ヘッド当接部のテープ走行経路に導入して正接続する。
【０１４１】
次に、テープドラムＡ内周部のテープ[Ａ]、及びテープ[ａ]を、上段ケースに向くように転移装置Ａ、及び転移装置ａにセッティングする。同じくテープドラムＢ内周部のテープ[Ｂ]、及びテープ[ｂ]を上段ケースに向くように転移装置Ｂ、及び転移装置ｂにセッティングする。
【０１４２】
次の手順に移る前に、上段ケース下面（下段ケースとジョイントした時の下段ケース上面）に、セーフティローラを任意の対固着する。この場合、上段ケース及び下段ケースをジョイントした時に、テーパローラ内周円上のセーフティローラの（ターンテーブル外周側に位置する）ローラ面と、テーパローラ外周円上のセーフティローラの（ターンテーブル内周側に位置する）ローラ面が、テーパローラ内周円及びテーパローラ外周円の垂直線上に位置するように設置する必要がある。これによって、テープドラムがテーパローラ上から脱線することが防止される。
【０１４３】
又、セーフティローラを取り付ける際、セーフティローラのローラ中心軸に、セーフティローラのローラ、ウエイトローラのローラ軸（ローラ軸両サイドのリング又はセーフティローラ軸貫通孔）、バネの順序で、挿入し、テーパローラ内周円上及びテーパローラ外周円上のセーフティローラが一対になり、両セーフティローラ間にウエイトローラがセットされた状態で、セーフティローラの片方のローラ中心軸が固着される必要がある。
【０１４４】
次に、下段ケース及び上段ケースをジョイントする。ジョイントする時に、下段ケースの各テープドラムが、上記のセーフティローラ間に納まり、ウエイトローラによってテープドラムがテーパローラ上に圧着された状態にしなければならない。又各転移装置のテープをテープ出入開口部へ挿入し、各ローラ中心軸を上段ケース下面の夫々の軸受孔にセッティングして、下段ケースと上段ケースをジョイントする。
【０１４５】
次に、下段ケースにジョイントした上段ケースに、下段ケースと同様の手順で、各ターンテーブル１１４、テープドラム１５１、内周部ガイドローラ１２３、転向ローラ１２２、外周部ガイドローラ１１７、コーナローラ１２１、及び動力伝達ギヤ１１１をセッティングする。この時、テープドラムＣは右巻き、テープドラムＤは左巻きのテープドラムをセッティングする。又動力伝達ギヤの中心軸は上段ケース底面の動力伝達ギヤ中心軸貫通孔に挿入される。
【０１４６】
次に、上段ケースにおける各テープドラムのテープは、下段ケースの場合と同様の手順で、夫々のテープドラム外周部のテープは、前面側及び背面側ヘッド当接部のテープ走行経路で、テープＣとＤ、及びテープｃとｄが正接続される。又、テープドラム内周部のテープ[Ｃ]と[ｃ]、及びテープ[Ｄ]と[ｄ]は、テープが下段ケースに向くように夫々転移装置Ｃとｃ、及び転移装置Ｄとｄにセッティングされ、先ほどのテープ出入開口部に挿入された下段ケースのテープ[Ｂ]と[ｂ]、及び[Ａ]と[ａ]に正接続される。
【０１４７】
次の手順に移る前に、ケース上蓋下面（上段ケースとジョイントした時の上段ケース上面）に、前記したセーフティローラの仕様と同様に、セーフティローラ、ウエイトローラを固着する。
【０１４８】
そして、ケース上蓋の各軸受孔に、前記した下段ケースの仕様と同様に、上段ケース左右の各ローラ中心軸、及び動力伝達ギヤ中心軸を夫々挿入し、上段ケース及びケース上蓋を固着する。その時に前記同様、上段ケースの各テープドラムがセーフティローラ間に納まるようにしなければならない。
【０１４９】
次に、下段ケースの動力伝達ギヤの中心軸を、上段ケース底面の動力伝達ギヤ中心軸貫通孔に挿入された上段ケースの動力伝達ギヤ中心軸に固着して、上段ケースの動力伝達ギヤ及び下段ケースの動力伝達ギヤを一体化する。この時、下段ケースの動力伝達ギヤの伝達ギヤが下段ケースのテーブルギヤに噛合する様にセッティングする必要がある。
【０１５０】
以上記載の通り、上下２段のケースが一体となったカセットが構築される。このカセットを、情報処理装置等を具備した外部機器にセットして稼動する時、テープは、次のように各装置に係った走行をする。
【０１５１】
カセットが稼動するときに、各ターンテーブルはすべて左回転し、右巻きのテープドラムは外周部でテープ出力、内周部でテープ入力、左巻きのテープドラムは外周部でテープ入力、内周部でテープ出力の状態となる。
【０１５２】
よって、テープＡは右巻きのテープドラムＡの外周部から出力され、下段ケース前面側左の外周部ガイドローラを経由し、コーナローラに係って、下段ケース前面側のテープ走行経路を外面テープ状態で走行する。そして、テープＢに接続され、テープドラムＢ外周部に入力される（巻き取られる）。同時にテープａは、下段ケース背面側左の外周部ガイドローラを経由し、コーナローラに係って、下段ケース背面側のテープ走行経路を内面テープ状態で走行し、テープｂに接続されテープドラムＢの外周部に入力される。
【０１５３】
テープ[Ｂ]は、テープドラムＢ内周部から出力され、転移装置Ｂを介して上段ケースの転移装置Ｃに転移し、テープ[Ｃ]に接続されて、テープドラムＣ内周部に入力される（巻き取られる）。同時に、テープ[ｂ]は、テープドラムＢ内周部から出力され、転移装置ｂを介して上段ケースの転移装置ｃに転移し、テープ[ｃ]に接続されて、テープドラムＣ内周部に入力される。
【０１５４】
テープＣは、上段ケース前面側のテープ走行経路を内面テープ状態で走行してテープＤに接続される。同時にテープｃは、上段ケース背面側のテープ走行経路を外面テープ状態で走行してテープｄに接続される。
【０１５５】
そして、テープ[Ｄ]は、転移装置Ｄを介して転移装置Ａに転移し、テープ[Ａ]に接続され、テープドラムＡ内周部に入力される。このようにして、テープＡの系列のテープ回路ができる。同時に、テープ[ｄ]は、転移装置ｄを介して転移装置ａに転移し、テープ[ａ]に接続され、テープドラムＡ内周部に入力される。このようにして、テープａの系列のテープ回路ができる。
【０１５６】
なお、相対する一対の転移装置におけるテープと転移装置の関連は、転移装置が互いに平行に設置された場合は、上下のテープドラム間のテープは互いに正接続（テープドラムに巻かれたテープどうしの接続において、各テープの外周側の面及び内周側の面が互いに入れ替わらない接続）され、テープドラムからテープが出力する位置とテープドラムへテープが入力する位置は、１８０度位相の関係になる。つまり、ターンテーブルの回転軸に関して互いに対向する位置にある。転移装置が互いに面対称に設置された場合は、テープは互いに反転（逆）接続（テープドラムに巻かれたテープどうしの接続において、各テープの外周側の面及び内周側の面が互いに入れ替わる接続）され、テープドラムからテープが出力する位置とテープドラムへテープが入力する位置は、同じ側となる。
【０１５７】
上記の様にテープが、各装置に関わってテープ走行する時、テープＡとテープａの２つの系列の分離したテープ回路が構成され、夫々の系列の回路で、夫々分離した２つの系統（異なるテープ走行経路における外面テープ状態及び内面テープ状態の２つの系統）のテープ走行経路を有することになる。
【０１５８】
以上述べた一連のテープ走行状態の記述を、テープ回路式を用いて表現することができる。次に、そのテープ回路式を示す。以下において、テープ回路式の各記号は、前記段落「０１３０」〜「０１３４」記載の呼称を準用する。又、記号とその記号の意味は、前記段落「００７０」〜「００７３」例示記載の通りとし、各記号を当てはめて読み替えるものとする。
【０１５９】
回路式６（１）、「Ａ・下∪・→Ｂ／[Ｂ]・Ｂ‖Ｃ・→[Ｃ]／Ｃ・（上∪）・→Ｄ／[Ｄ]・Ｄ‖Ａ・→[Ａ]」。
回路式６（２）、「ａ・（下∩）・→ｂ／[ｂ]・ｂ‖ｃ・→[ｃ]／ｃ・上∩・→ｄ／[ｄ]・ｄ‖ａ・→[ａ]」。
【０１６０】
テープ回路式６の概要を説明すると、テープ回路式６（１）、（２）は共に同時稼動し、総ての対となる転移装置は互いに平行に設置され、総てのテープドラムにダブルテープドラムを使用した、いずれのテープも正接続された場合のテープ回路である。テープＡの系列のテープ回路と、テープａの系列のテープ回路が、夫々分離した個別のテープ回路を構成する。夫々の系列の回路で２系統（外面及び内面テープ状態）のテープ走行をする。Ａの系列のテープは、下段ケース前面のテープ走行経路では外面テープ状態で走行をし、上段ケース前面のテープ走行経路では内面テープ状態で走行をする。また、ａの系列のテープは、下段ケース背面のテープ走行経路では内面テープ状態で走行をし、上段ケース背面のテープ走行経路では外面テープ状態で走行をする。
【０１６１】
次に、テープ走行形態のその他の構成例について説明する。例えば、上記テープ回路を１本化すると次のようになる。
【０１６２】
回路式７、「Ａ・下∪・→Ｂ／[Ｂ]・Ｂ‖Ｃ・→[Ｃ]／Ｃ・（上∪）・→Ｄ／[Ｄ]・Ｄ‖Ａ・→[ａ]／ａ・（下∩）・→ｂ／[ｂ]・ｂ‖ｃ・→[ｃ]／ｃ・上∩・→ｄ／[ｄ]・ｄ‖ａ・→[Ａ]」。
【０１６３】
テープ回路式７の概要を説明すると、総ての対となる転移装置が平行に設置され、総てのテープドラムがダブルテープドラムを使用した、いずれのテープも正接続された場合のテープ回路である。転移装置Ｄとａ、及び転移装置ｄとＡにおいて、テープの接続を夫々別系列のテープに（テープ[Ｄ]をテープ[ａ]に、及びテープ[ｄ]をテープ[Ａ]に）正接続することで、連続した１つのテープ回路を構成する。そして、２つの系統のテープ走行（上段ケース前面及び下段ケース背面のテープ走行経路で内面テープ状態、上段ケース背面及び下段ケース前面のテープ走行経路で外面テープ状態の２つの系統）をする。
【０１６４】
また、１本化されたテープ回路中のテープどうしの接続において、反転（逆）接続をすることによってメビウスの帯状態でテープのエンドレス化がなされる。これを回路式で表すと次のようになる。
【０１６５】
回路式８、「Ａ・下∪・→Ｂ／[Ｂ]・Ｂ‖Ｃ・→[Ｃ]／Ｃ・（上∪）・→Ｄ／[Ｄ]・Ｄ⊥Ａ・↓[ａ]／ａ・（下∩）・→ｂ／[ｂ]・ｂ‖ｃ・→[ｃ]／ｃ・上∩・→ｄ／[ｄ]・ｄ‖ａ・→[Ａ]」。
【０１６６】
テープ回路式８の概要を説明すると、転移装置Ｄ及びＡは互いに面対称に、他の対となる転移装置は総て平行に設置されたテープ回路である。テープＡ、及びテープａの２つの系列のテープが、面対称に設置された転移装置により反転（逆）接続されて、メビウスの帯の状態で連続したテープ回路を構成する。
【０１６７】
また、磁気記録層が形成された面を外周側に向けて巻かれたテープドラム（外面テープドラム）と、磁気記録層が形成された面を内周側に向けて巻かれたテープドラム（内面テープドラム）を重畳して巻かれたダブルテープドラムを用いてテープ回路を構成すると、次のようになる。
【０１６８】
回路式９（１）、「Ａ・下∪・→Ｂ／[Ｂ]・Ｂ‖Ｃ・→[Ｃ]／Ｃ・上∩・→Ｄ／[Ｄ]・Ｄ‖Ａ・→[Ａ]」。
回路式９（２）、「ａ・（下∩）・→ｂ／[ｂ]・ｂ‖ｃ・→[ｃ]／ｃ・（上∪）・→ｄ／[ｄ]・ｄ‖ａ・→[ａ]」。
【０１６９】
テープ回路式９の概要を説明すると、テープ回路式９（１）、（２）は、共に同時稼動し、総ての転移装置は平行に設置され、総てのテープドラムが上記ダブルテープドラムを使用した、いずれのテープも正接続された場合のテープ回路である。テープＡ（外面テープ系）の系列のテープ回路と、テープａ（内面テープ系）の系列のテープ回路が、夫々分離した個別の２つのテープ回路を構成し、総てのテープ走行経路で１系統（磁気記録層が形成されたテープの一方の面のみをヘッド当接部において露出する状態）のテープ走行をする。
【０１７０】
また、このテープ回路を１本化すると次のようになる。
【０１７１】
回路式１０、「Ａ・下∪・→Ｂ／[Ｂ]・Ｂ‖Ｃ・→[Ｃ]／Ｃ・上∩・→Ｄ／[Ｄ]・Ｄ⊥Ａ・↓[ａ]／ａ・（下∩）・→ｂ／[ｂ]・ｂ‖ｃ・→[ｃ]／ｃ・（上∪）・→ｄ／[ｄ]・ｄ⊥ａ・↓[Ａ]」。
【０１７２】
テープ回路式１０の概要を説明すると、転移装置Ｄとａ、及び転移装置ｄとＡが互いに面対称に、他の対となる転移装置が互いに平行に設置される。テープＡ、及びテープａの２系列のテープが、面対称に設置された転移装置で反転接続され、１系統１系列にまとめられて連続したテープ回路を構成し、総てのテープ走行経路で１系統のテープ走行をする。
【０１７３】
【発明の効果】
本発明は、上記のように構成されたエンドレステープ用カセットで、その結果として、以下に記載されるような効果を奏する。
【０１７４】
従来のカセットにおけるテープリ−ルの替りに、ターンテーブルを用いることによって、テープドラム外周部のテープ速度と、テープドラム内周部のテープ速度を等速にすることができ、その結果、テープドラム外周部テープと内周部テープの接続が可能となった。よって、各ターンテーブルに搭載されたテープドラム内、外周部のテープが互いに連結された多段式のカセットを構築する事ができるようになり、テープのメビウスの帯状の利用、テープのエンドレス化、テープの両面利用、複数のテープ走行経路の利用が可能になった。これにより、情報等の複数同時記録、複数同時再生、及び記録と再生の同時利用等の、情報処理機能が可能になる。又、テープの収容量が増加し、カセットの有効利用が図られる。
【図面の簡単な説明】
【図１】  本発明の実施の形態１によるエンドレステープ用カセットの一構成例を示した外観斜視図である。
【図２】  図１のカセットにおける上段ケース内を示した平面図である。
【図３】  図１のカセットにおける中段ケース内を示した平面図である。
【図４】  図１のカセットにおける下段ケース内を示した平面図である。
【図５】  図２のカセットにおけるＡ−Ａ線断面図である。
【図６】  図２のカセットにおけるＢ−Ｂ線断面図である。
【図７】  図５のカセットにおけるＣ部拡大図である。
【図８】  図５のカセットにおけるＣ部斜視図である。
【図９】  本発明の実施の形態２によるエンドレステープ用カセットの一構成例を示した外観斜視図である。
【図１０】  図９のカセットにおける上段ケース内を示した平面図である。
【図１１】  図９のカセットにおける下段ケース内を示した平面図である。
【図１２】  図１０のカセットにおけるＡ−Ａ線断面図である。
【図１３】  図１０のカセットにおけるＢ−Ｂ線断面図である。
【符号の説明】
１００，２００  カセット本体、１０１，２０１  カセットケース、
１０２，２０２  上段ケース、１０３  中段ケース、
１０４，２０３  下段ケース、１０５  開口、
１０６，２０６  前面側ヘッド当接部、１０７，２０７  背面側ヘッド当接部、
１１１  動力伝達ギヤ、１１２，１１９  軸、１１３  円形ギヤ、
１１４  ターンテーブル、１１５  テーブルギヤ、１１６  テーパローラ、
１１７  外周部ガイドローラ、１１８  ガイドローラギヤ、１２０  補助ローラ、
１２１  コーナローラ、１２２  転向ローラ、１２３  内周部ガイドローラ、
１２４  セーフティローラ、１２５  ウエイトローラ、１２６  テーブル軸、
１２７，１３５  開口部、１２８  駆動部係合孔、１２９  駆動部係合部、
１３０  テーブル支持台部、１３１  テーブル支柱部、１３２  テーパギヤ、
１３３  バネ、１３４  リング、１５０  磁気テープ、１５１  テープドラム
【図１】
0003826290.tif 000002
【図２】
0003826290.tif 000003
【図３】
0003826290.tif 000004
【図４】
0003826290.tif 000005
【図５】
0003826290.tif 000006
【図６】
0003826290.tif 000007
【図７】
0003826290.tif 000008
【図８】
0003826290.tif 000009
【図９】
0003826290.tif 000010
【図１０】
0003826290.tif 000011
【図１１】
0003826290.tif 000012
【図１２】
0003826290.tif 000013
【図１３】
0003826290.tif 000014